(57)【要約】【課題】  発信者ノード装置と着信者ノード装置との間のパス確立をラベル明示的指定・非指定混在のパス要求情報で行うことが可能な光ＩＰネットワークシステム及びそのパス確立方法を提供する。【解決手段】  中継ノード装置１００にラベル値確認手段１３０、ラベル値コピー手段１４０及びパラメータ修正手段１５０を備えたので、パス要求情報にラベル値の明示的指定・非指定を自由に設定できるようになった。さらに、Ｅｎｄ−ｔｏ−ｅｎｄのラベル指定とホップ間のラベル指定とを混在を可能とする手段を備えることにより、種々の伝送装置からなる大規模光ＩＰネットワークにおいても、発信者ノード装置２００は、ネットワークトポロジ情報を効率的に利用したパス設定が可能となった。【選択図】      図２
2005072920.tif 000002
【特許請求の範囲】
【請求項１】
発信者ノード装置、着信者ノード装置及び複数の中継ノード装置とによって構成された光ＩＰネットワークシステムにおいて、
前記発信者ノード装置が、
ラベル指定・非指定混在のパス要求情報を生成するパス要求情報生成手段と、
前記パス要求情報生成手段によって生成されたパス要求情報を隣接する中継ノード装置に送信するパス要求情報送信手段と、
前記パス要求情報に応じて前記パスを確立させるパス確立手段と
を備え、
前記中継ノード装置が、
前記パス要求情報を受信するパス要求情報受信手段と、
前記パス要求情報受信手段によって受信されたパス要求情報に基づいてパスが確立可能かを確認するパス確立確認手段と、
前記パス確立確認手段がパス確立可能なことを確認した後、パス要求情報に含まれる明示的指定・非指定のためのラベル値を確認するラベル値確認手段と、
前記ラベル値確認手段によって確認された結果に基づき、ラベル値をコピーするラベル値コピー手段と、
前記ラベル値コピー手段によってラベル値がコピーされた時点でラベル値指定オブジェクトのパラメータを修正するパラメータ修正手段と、
前記ラベル値コピー手段により上書きされたパス要求情報を隣接する中継ノード装置に送信するパス要求送信手段と、
前記パス要求情報に応じて前記パスを確立させるパス確立手段と
を備え、
前記着信者ノード装置が、
前記パス要求情報を前記中継ノード装置から受信するパス要求情報受信手段と、
前記パス要求情報受信手段によって受信されたパス要求情報に基づいてパスが確立可能かを確認するパス確立確認手段と、
前記パス確立確認手段がパス確立可能なことを確認した後、パス要求情報に応じて前記パスを確立させるパス確立手段と
を備えることを特徴とする光ＩＰネットワークシステム。
【請求項２】
発信者ノード装置、着信者ノード装置及び複数の中継ノード装置とによって構成された光ＩＰネットワークシステムにおいて、
前記発信者ノード装置が、
ラベル指定・非指定混在のパス要求情報を生成するパス要求情報生成ステップと、
前記パス要求情報生成ステップにおいて生成されたパス要求情報を隣接する中継ノード装置に送信するパス要求情報送信ステップと、
前記パス要求情報に応じて前記パスを確立させるパス確立ステップと
を備え、
前記中継ノード装置が、
前記パス要求情報を受信するパス要求情報受信ステップと、
前記パス要求情報受信ステップにおいて受信されたパス要求情報に基づいてパスが確立可能かを確認するパス確立確認ステップと、
前記パス確立確認ステップにおいてパス確立可能なことが確認された後、パス要求情報に含まれる明示的指定・非指定のためのラベル値を確認するラベル値確認ステップと、
前記ラベル値確認ステップにおいて確認された結果に基づき、ラベル値をコピーするラベル値コピーステップと、
前記ラベル値コピーステップにおいてラベル値がコピーされた時点でラベル値指定オブジェクトのパラメータを修正するパラメータ修正ステップと、
前記ラベル値コピーステップにおいて上書きされたパス要求情報を隣接する中継ノード装置に送信するパス要求送信ステップと、
前記パス要求情報に応じて前記パスを確立させるパス確立ステップと
を備え、
前記着信者ノード装置が、
前記パス要求情報を受信するパス要求情報受信ステップと、
前記パス要求情報受信ステップにおいて受信されたパス要求情報に基づいてパスが確立可能かを確認するパス確立確認ステップと、
前記パス確立確認ステップにおいてパス確立可能なことが確認された後、パス要求情報に応じて前記パスを確立させるパス確立ステップと
を備えることを特徴とする光ＩＰネットワークシステムにおけるパス確立方法。
【請求項３】
前記中継ノード装置における前記ラベル値確認ステップは、
パス要求情報にラベル値なしを明示的に示すラベル値が含まれていることを、さらに、確認するステップであること
を特徴とする請求項２に記載の光ＩＰネットワークシステムにおけるパス確立方法。
【請求項４】
前記中継ノード装置が、
前記ラベル値確認ステップにおいてパス要求情報にラベル値がないことが確認された時点で、明示的ルート指定又は明示的ラベル指定の情報又はオブジェクトに、識別子が含まれていることを確認する識別子確認ステップを
さらに備えることを特徴とする請求項２に記載の光ＩＰネットワークシステムにおけるパス確立方法。
【請求項５】
前記中継ノード装置が、
前記ラベル値確認ステップにおいてパス要求情報にラベル値がないことが確認された時点で、発信者ノード装置から着信者ノード装置までパス確立を行う際の要求条件としてラベル値を指定する情報又はオブジェクトに、識別子が含まれていることを確認する識別子確認ステップを
さらに備えることを特徴とする請求項２記載の光ＩＰネットワークシステムにおけるパス確立方法。
【請求項６】
前記中継ノード装置が、
前記ラベル値確認ステップがパス要求情報にラベル値があることを確認した時点でラベルを指定する情報又はオブジェクトが含まれているかを確認するラベル指定オブジェクト確認ステップと、
前記ラベル指定オブジェクト確認ステップがラベルを指定する情報又はオブジェクトが含まれているかを確認した後、情報又はオブジェクトが含まれていない場合、ラベル指定オブジェクトを生成するラベル指定オブジェクト生成ステップと、
前記識別子確認ステップにおいて発信者ノード装置から着信者ノード装置間で使用される識別子であるか又はホップ間で使用される識別子であるか確認された後、ラベルを指定する情報又はオブジェクトを削除するラベル指定オブジェクト削除ステップと
をさらに備えることを特徴とする請求項２ないし請求項５のいずれかの一項に記載の光ＩＰネットワークシステムにおけるパス確立方法。
【請求項７】
前記中継ノード装置が、
前記ラベル値コピーステップ及び前記パラメータ修正ステップの代わりに、
前記ラベル値確認ステップがパス要求情報にラベル値を確認した時点で、パス確立を行う際の要求条件としてホップ間のラベル値を指定する情報又はオブジェクトにラベル値をコピーするコピー先識別ラベル値コピーステップ
を備えることを特徴とする請求項２に記載の光ＩＰネットワークシステムにおけるパス確立方法。
【請求項８】
前記中継ノード装置におけるパス確立確認ステップは、
前記パス要求情報受信ステップによって受信されたパス要求情報を確認し、ホップ間のラベルを指定する情報又はオブジェクトがある場合は、発信者ノード装置から着信者ノード装置間のラベルを指定する情報又はオブジェクトよりもホップ間のラベルを指定する情報又はオブジェクトを優先的に使用しパス要求情報に基づいてパスが確立可能か否かをさらに確認するステップであること
を特徴とする請求項２ないし請求項７のいずれかの一項に記載の光ＩＰネットワークシステムにおけるパス確立方法。
【請求項９】
発信者ノード装置、着信者ノード装置及び複数の中継ノード装置とによって構成された光ＩＰネットワークシステムにおいて、
ラベル指定・非指定混在のパス要求情報を生成するパス要求情報生成手段と、
前記パス要求情報生成手段によって生成されたパス要求情報を隣接する中継ノード装置に送信するパス要求情報送信手段と、
前記パス要求情報に応じて前記パスを確立させるパス確立手段と
を備えることを特徴とする光ＩＰネットワークシステムにおける発信者ノード装置。
【請求項１０】
前記パス要求情報生成手段が、発信者ノード装置から着信者ノード装置間のラベルを指定する情報又はオブジェクトとホップ間のラベルを指定する情報又はオブジェクトを組み合わせたパス要求情報を生成すること
を特徴とする請求項９に記載の光ＩＰネットワークシステムにおける発信者ノード装置。
【請求項１１】
発信者ノード装置、着信者ノード装置及び複数の中継ノード装置とによって構成された光ＩＰネットワークシステムにおいて、
ラベル指定・非指定混在のパス要求情報を受信するパス要求情報受信手段と、
前記パス要求情報受信手段によって受信されたパス要求情報に基づいてパスが確立可能かを確認するパス確立確認手段と、
前記パス確立確認手段がパス確立可能なことを確認した後、パス要求情報に含まれる明示的指定・非指定のためのラベル値を確認するラベル値確認手段と、
前記ラベル値確認手段によって確認された結果に基づき、ラベル値をコピーするラベル値コピー手段と、
前記ラベル値コピー手段によってラベル値がコピーされた時点でラベル値指定オブジェクトのパラメータを修正するパラメータ修正手段と、
前記ラベル値コピー手段により上書きされたパス要求情報を隣接する中継ノード装置に送信するパス要求送信手段と、
前記パス要求情報に応じて前記パスを確立させるパス確立手段と
を備えることを特徴とする光ＩＰネットワークにおける中継ノード装置。
【請求項１２】
前記ラベル値確認手段は、パス要求情報にラベル値なしを明示的に示すラベル値が含まれていることを、さらに、確認すること
を特徴とする請求項１１に記載の光ＩＰネットワークにおける中継ノード装置。
【請求項１３】
前記ラベル値確認手段がパス要求情報にラベル値がないことを確認した時点で、明示的ルート指定又は明示的ラベル指定の情報又はオブジェクトに、識別子が含まれていることを確認する識別子確認手段を
さらに備えることを特徴とする請求項１１に記載の光ＩＰネットワークシステムにおける中継ノード装置。
【請求項１４】
前記ラベル値確認ステップにおいてパス要求情報にラベル値がないことが確認された時点で、発信者ノード装置から着信者ノード装置までパス確立を行う際の要求条件としてラベル値を指定する情報又はオブジェクトに、識別子が含まれていることを確認する識別子確認手段を
さらに備えることを特徴とする請求項１１に記載の光ＩＰネットワークシステムにおける中継ノード装置。
【請求項１５】
前記ラベル値確認手段によりパス要求情報にラベル値があることが確認された時点で、ラベルを指定する情報又はオブジェクトが含まれているかを確認するラベル指定オブジェクト確認手段と、
前記ラベル指定オブジェクト確認手段によりラベルを指定する情報又はオブジェクトが含まれていないことが確認された時点で、ラベル指定オブジェクトを生成するラベル指定オブジェクト生成手段と、
前記識別子確認手段により発信者ノード装置から着信者ノード装置間で使用される識別子か又はホップ間で使用される識別子か確認された後、ラベルを指定する情報又はオブジェクトを削除するラベル指定オブジェクト削除手段と
をさらに備えることを特徴とする請求項１１ないし請求項１４のいずれかの一項に記載の光ＩＰネットワークにおける中継ノード装置。
【請求項１６】
前記ラベル値コピー手段及び前記パラメータ修正手段の代わりに、
前記ラベル値確認手段がパス要求情報にラベル値を確認した時点で、パス確立を行う際の要求条件としてホップ間のラベル値を指定する情報又はオブジェクトにラベル値をコピーするコピー先識別ラベル値コピー手段
を備えることを特徴とする請求項１１に記載の光ＩＰネットワークシステムにおける中継ノード装置。
【請求項１７】
前記中継ノード装置におけるパス確立確認手段は、
前記パス要求情報受信手段によって受信されたパス要求情報を確認し、ホップ間のラベルを指定する情報又はオブジェクトがある場合は、発信者ノード装置から着信者ノード装置間のラベルを指定する情報又はオブジェクトよりもホップ間のラベルを指定する情報又はオブジェクトを優先的に使用し、かつ、パス要求情報に基づいたパスが確立可能か否かをさらに確認すること
を特徴とする請求項１１ないし請求項１６のいずれかの一項に記載の光ＩＰネットワークシステムにおける中継ノード装置。
【請求項１８】
発信者ノード装置、着信者ノード装置及び複数の中継ノード装置とによって構成された光ＩＰネットワークシステムにおいて、
前記中継ノード装置からラベル指定・非指定混在のパス要求情報が受信するパス要求情報受信手段と、
前記パス要求情報受信手段によって受信されたパス要求情報に基づいてパスが確立可能かを確認するパス確立確認手段と、
前記パス確立確認手段がパス確立可能なことを確認した後、パス要求情報に応じて前記パスを確立させるパス確立手段と
を備えることを特徴とする光ＩＰネットワークシステムにおける着信者ノード装置。
【発明の詳細な説明】
【技術分野】
【０００１】
本発明は、大規模な光ＩＰネットワークにおいて、明示的ラベル指定を行う区間と行わない区間とを混在させるパス要求を可能とする光ＩＰネットワークシステムとそのパス確立の方法に関する。
【背景技術】
【０００２】
近年、ＩＰ（Internet Protocol）ネットワークにおいては、発信者ノード装置から着信者ノード装置までの転送されるパケットが経由する中継ノード装置のルートを指定するＭＰＬＳ（Multi-Protocol Label Switching）の技術が多く採用されるようになってきた。ＭＰＬＳ技術においては、ネットワーク・トポロジを考慮した上でそのルートを決定することができるので、全体としてのネットワークの使用効率を上げることができる。一方、ＩＰネットワークは、光ＩＰネットワークとしてさらに進化を続けている。その光ＩＰネットワークは、ＩＰ網だけではなくＴＤＭ／ＷＤＭ（Time Division Multiplexing／Wavelength Division Multiplexing）網等より構成されるため、より効率的な制御を行う必要性がでてきた。そこでＭＰＬＳ技術が拡大され、ルートを指定した上でそのルート上のラベルにより伝送方法等を指定したパス設定を行う技術が、ＧＭＰＬＳ（Generalized Multi Protocol Label Switching）技術として定着しつつある（例えば、非特許文献1参照）。
【非特許文献１】L. Berger, "Generalized Multi Protocol Label Switching（GMPLＳ）Signaling Functional Description", [Online], January 2003, RFC(Request For Comment)3471,［平成１５年８月８日検索］, インターネット＜ftp://ftp.rfc-editor.org/in-notes/ rfc3471.txt＞
【発明の開示】
【発明が解決しようとする課題】
【０００３】
光ＩＰネットワークは、大規模化することが多く、大規模化すると種々のネットワークが混在することが多くなるため、発信者ノード装置は、ルーティングのためのネットワーク・トポロジを把握することがスケーラビリティの観点より実質上困難になる。このようなネットワークにおいては、発信者ノード装置がパス設定要求をするときには、ネットワーク・トポロジ（トポロジ・リソース）を把握しているネットワーク部分については、ルート及びラベルを明示的に指定するようにし、トポロジ・リソースを把握していないネットワーク部分については、明示的な指定をしないようにする必要がある。しかしながら、従来のＧＭＰＬＳ技術においては、ある区間ではルートを指定した上で明示的にラベルの指定をするパス要求情報と、他の区間ではそのラベル指定をしないパス要求情報とを混在させたパス要求情報を行うことができなかった。
【０００４】
そこで、本発明の課題は、ある区間ではルートを指定した上で明示的にラベルの指定をするパス要求情報と、他の区間ではそのラベルの指定をしないパス要求情報とを混在させたパス要求情報を行うことが可能な光ＩＰネットワークシステム及びそのパス確立方法、並びに、発信者ノード装置、中継ノード装置及び着信者ノード装置を提供することにある。
【課題を解決するための手段】
【０００５】
前記課題を解決するため、請求項１の発明は、光ＩＰネットワークシステムを、発信者ノード装置、着信者ノード装置及び複数の中継ノード装置とによって構成し、発信者ノード装置は、パス要求情報生成手段と、パス要求情報送信手段と、パス確立手段とを備え、中継ノード装置は、パス要求情報受信手段と、パス確立確認手段と、ラベル値確認手段と、ラベル値コピー手段と、パラメータ修正手段と、パス要求送信手段と、パス確立手段とを備え、着信者ノード装置には、パス要求情報受信手段と、パス確立確認手段と、パス確立手段とを備えることを特徴とする。
また、請求項２の光ＩＰネットワークにおけるパス確立方法の発明は、発信者ノード装置、着信者ノード装置及び複数の中継ノード装置とによって構成される光ＩＰネットワークにおいて、
発信者ノード装置は、パス要求情報生成手段がラベル指定・非指定混在のパス要求情報を生成するパス要求情報生成ステップと、パス要求情報送信手段がパス要求情報生成手段によって生成されたパス要求情報を隣接する中継ノード装置に送信するパス要求情報送信ステップと、パス確立手段がパス要求情報に応じてパスを確立させるパス確立ステップとを備え、
中継ノード装置は、パス要求情報受信手段が隣接するノード装置から送信されるパス要求情報を受信するパス要求情報受信ステップと、パス確立確認手段がパス要求情報受信手段によって受信されたパス要求情報に基づいてパスが確立可能かを確認するパス確立確認ステップと、そのパス確立確認手段がパス確立可能なことを確認した後、ラベル値確認手段がパス要求情報に含まれる明示的指定・非指定のためのラベル値を確認するラベル値確認ステップと、そのラベル値確認手段によって確認された結果に基づき、ラベル値コピー手段がラベル値をコピーするラベル値コピーステップと、そのラベル値コピー手段によってラベル値がコピーされた時点で、パラメータ修正手段がラベル値指定オブジェクトのパラメータを修正するパラメータ修正ステップと、パス要求送信手段がそのラベル値コピー手段により上書きされたパス要求情報を隣接する中継ノード装置に送信するパス要求送信ステップと、パス確立手段がパス要求情報に応じてパスを確立させるパス確立ステップとを備え、
着信者ノード装置は、パス要求情報受信手段がパス要求情報を中継ノード装置から受信するパス要求情報受信ステップと、そのパス要求情報受信手段によって受信されたパス要求情報に基づいてパスが確立可能か否かを確認するパス確立確認ステップと、そのパス確立確認手段がパス確立可能なことを確認した後、パス確立手段がパス要求情報に応じてパスを確立させるパス確立ステップとを備えることを特徴とする。
また、請求項３の発明は、請求項２における前記ラベル値確認ステップが、パス要求情報にラベル値なしを明示的に示すラベル値が含まれていることを、さらに、確認するステップであること特徴とする。
さらに、請求項９、請求項１１、請求項１２及び請求項１８の発明はそれぞれ、請求項１ないし請求項３において用いられる発信者ノード装置、中継ノード装置、中継ノード装置及び着信者ノード装置である。
このように構成された光ＩＰネットワークシステム、そのパス確立法、発信者ノード装置、中継ノード装置及び着信者ノード装置により、発信者ノード装置と着信者ノード装置の間のパス確立を、ラベルの明示的指定・非指定混在で行うことができるようになる。
【０００６】
請求項４、請求項５、請求項１３又は請求項１４の光ＩＰネットワークにおけるパス確立方法の発明又は中継ノード装置の発明は、請求項２又は請求項１１の発明に加え、中継ノード装置がさらに識別子確認手段を備えることを特徴とする。そして、その中継ノード装置は、前記ラベル値確認手段がパス要求情報にラベル値がないことを確認した時点で、その識別子確認手段が、（１）明示的ルート指定又は明示的ラベル指定の情報又はオブジェクトに識別子が含まれていることを確認する識別子確認ステップ、又は、（２）発信者ノード装置から着信者ノード装置までパス確立を行う際の要求条件としてラベル値を指定する情報又はオブジェクトに、識別子が含まれていることを確認する識別子確認ステップを備えることを特徴とする。
このように構成された光ＩＰネットワークシステムにおけるパス確立法及び中継ノード装置により、すでに規定されている概念はそのままにして、新しい識別子という概念によるパラメータ修正を実施することができるので、発信者ノード装置は、把握しているネットワークトポロジ・リソース情報を効率的に利用した柔軟なパス設定が可能となる。
【０００７】
請求項６又は請求項１５の光ＩＰネットワークにおけるパス確立方法の発明又は中継ノード装置の発明は、請求項２ないし請求項５又は請求項１１ないし請求項１４の発明に加え、中継ノード装置がさらにラベル指定オブジェクト確認手段と、ラベル指定オブジェクト生成手段と、ラベル指定オブジェクト削除手段とを備えることを特徴とする。そして、その中継ノード装置は、ラベル値確認手段によりパス要求情報にラベル値があることが確認された時点で、ラベルを指定する情報又はオブジェクトが含まれているかを確認するラベル指定オブジェクト確認ステップと、ラベル指定オブジェクト確認手段によりラベルを指定する情報又はオブジェクトが含まれていないことが確認された時点で、ラベル指定オブジェクトを生成するラベル指定オブジェクト生成ステップと、識別子確認手段により発信者ノード装置から着信者ノード装置間で使用される識別子か又はホップ間で使用される識別子かが確認された後、ラベルを指定する情報あるいはオブジェクトを削除するラベル指定オブジェクト削除ステップとをさらに備えたことを特徴とする。
このように構成された光ＩＰネットワークシステムにおけるパス確立法及び中継ノード装置により、中継ノード装置は、不必要な情報を削除することができるので、効率的なパス設定が可能となる。
【０００８】
請求項７又は請求項１６の光ＩＰネットワークにおけるパス確立方法の発明又は中継ノード装置の発明は、請求項２又は請求項１１における中継ノード装置が、ラベル値コピー手段及びパラメータ修正手段の代わりにコピー先識別ラベル値コピー手段を備えることを特徴とする。そして、ラベル値確認手段によりパス要求情報にラベル値があることが確認された時点で、そのコピー先識別ラベル値コピー手段が、パス確立を行う際の要求条件としてホップ間のラベル値を指定する情報あるいはオブジェクトにラベル値をコピーするコピー先識別ラベル値コピーステップを備えることを特徴とする。
このように構成された光ＩＰネットワークシステムにおけるパス確立法及び中継ノード装置により、発信者ノード装置は、End-to-endのラベル指定とホップ間のラベル指定を別のオブジェクトで指定できるようになる。
【０００９】
請求項８又は請求項１７の光ＩＰネットワークにおけるパス確立方法の発明又は中継ノード装置の発明は、請求項２ないし請求項７又は請求項１１ないし請求項１６の発明におけるパス確立確認ステップ又は手段が、パス要求情報受信手段によって受信されたパス要求情報を確認し、ホップ間のラベルを指定する情報あるいはオブジェクトがある場合は、発信者ノード装置から着信者ノード装置間のラベルを指定する情報又はオブジェクトよりもホップ間のラベルを指定する情報又はオブジェクトを優先的に使用し、かつ、パス要求情報に基づいたパスが確立可能か否かをさらに確認するパス確立確認ステップ又は手段であることを特徴とする。また、請求項１０の光ＩＰネットワークにおける発信者ノード装置の発明は、そのパス要求情報生成手段が、発信者ノード装置から着信者ノード装置間のラベルを指定する情報又はオブジェクトとホップ間のラベルを指定する情報又はオブジェクトを組み合わせたパス要求情報を生成することを特徴とする。
このように構成された光ＩＰネットワークシステムにおけるパス確立法、発信者ノード装置及び中継ノード装置により、発信者ノード装置は、End-to-endのラベル指定とホップ間のラベル指定とを混在させたパス設定を行うことが可能となる。
【発明の効果】
【００１０】
請求項１、請求項２、請求項３、請求項９、請求項１１、請求項１２及び請求項１８の発明により、発信者ノード装置と着信者ノード装置の間にラベルの明示的指定・非指定混在でパス確立を実現することができるようになる。そのため、発信者ノード装置は、把握しているネットワークトポロジ・リソース情報を効率的に利用した柔軟なパス設定が可能となり、ユーザの思い通りの最適パスを確立することが可能となる。
請求項４、請求項５、請求項１３及び請求項１４の発明により、現在規定されている概念はそのままに、新しい識別子という概念によるパラメータ修正を実施することができるので、発信者ノード装置は、把握しているネットワークトポロジ・リソース情報を効率的に利用した柔軟なパス設定が可能となる。
請求項６及び請求項１５の発明により、中継ノード装置は、不必要な情報を削除することができるので、効率的なパス確立が可能となる。
請求項７及び請求項１６の発明により、発信者ノード装置は、End-to-endのラベル指定とホップ間のラベル指定を別のオブジェクトで指定できるようになる。そのため、発信者ノード装置は、把握しているネットワークトポロジ・リソース情報を効率的に利用した柔軟なパス設定が可能となり、ユーザは、より思い通りの最適パスを確立させることが可能となる。
請求項８及び請求項１７の発明により、発信者ノード装置は、End-to-endのラベル指定とホップ間のラベル指定とを混在させたパス設定が可能となる。そのため、発信者ノード装置は、把握しているネットワークトポロジ・リソース情報を効率的に利用した柔軟なパス設定が可能となり、ユーザは、より思い通りの最適パスを確立させることが可能となる。
以上説明したように、本発明では、ラベルの明示的な指定と非指定を混在させたパス要求が可能であり、さらには、End-to-endのラベル指定とホップ間のラベル指定とを混在させたパス設定要求も可能となる。そのため、発信者ノード装置、すなわち、ネットワークシステムのユーザは、種々の伝送装置からなる大規模光ＩＰネットワークにおいても、発信者ノード装置が知りうる限りのネットワークトポロジ・リソースにより自由な組み合わせでの最適なパス確立を実現することが可能となる。
【発明を実施するための最良の形態】
【００１１】
以下、図面を参照して本発明の実施の形態について詳細に説明する。
＜第１の実施の形態＞
図１は、本発明の第１の実施の形態に係る光ＩＰネットワークシステムの構成図である。図１に示すように、光ＩＰネットワークシステム１０００は、中継ネットワーク１０を構成する中継ノード装置１００と、中継ネットワーク１０と通信可能に接続された発信者ノード装置２００と、着信者ノード装置３００とを含んで構成される。ここで、中継ノード装置１００、発信者ノード装置２００および着信者ノード装置３００は、光クロスコネクト、ルータ、スイッチなどから成る装置であり、中継ネットワーク１０に含まれる各装置は、互いに光ファイバ等で接続される。中継ノード装置１００、発信者ノード装置２００および着信者ノード装置３００は、ＲＦＣ３４７３などのＲＳＶＰ−ＴＥ（Resource Reservation Protocol Traffic Engineering）に準拠してパスを確立させる。
なお、中継ノード装置１００の個数は、複数であり特に数に限定されるものではない。また、図１の図面においては、複数の中継ノード装置１００を区別するため、番号１００の後にさらに接尾番号を付し、１００−n（nは自然数）と表記している。
【００１２】
発信者ノード装置２００は、パス要求情報を有し、中継ノード装置１００を経由して着信者ノード装置３００に到るパスを確立する。例えば、発信者ノード装置２００は、中継ノード装置１００−２を経由するパス３１を設定する要求において、発信者ノード装置２００と中継ノード装置１００−１の間ではラベル値Ｌ１を使用し、中継ノード装置１００−１と中継ノード装置１００−２との間ではラベル値Ｌ２を使用するように指定をすることができる。その場合、発信者ノード装置２００は、中継ノード装置１００−１宛の経路ではラベル値Ｌ１を使用し、中継ノード装置１００−１を経由し中継ノード装置１００−２宛の経路ではラベル値Ｌ２を使用することを、パス要求情報に記載する。次のホップ間も経路指定あるいはラベル指定をする場合は、指定しようとするすべての情報をパス要求情報に記載する。
【００１３】
中継ノード装置１００−１は、発信者ノード装置２００によって送信されたパス要求情報を受信し、受信したパス要求情報に応じて自ノードと発信者ノード装置２００間のラベルがラベル値Ｌ１でパスを確立可能か確認し、パス確立が可能な場合、発信者ノード装置２００が送信してきたパス要求情報の経路指定情報を確認し、隣接の中継ノード装置１００−２への経路指定情報があることを確認し、中継ノード装置１００−２に対し、ラベル値Ｌ２でのパス要求を行う。このとき、中継ノード装置１００−１は、パス要求情報の中継ノード装置１００−２の宛先へのラベル値を、ラベルを指定するオブジェクトにコピーすることによりラベル値Ｌ２でのパス要求が可能となる。中継ノード装置１００が同様の処理を繰り返すことによって、発信者ノード装置２００と着信者ノード装置３００とのパスが確立する。
【００１４】
図２は、本発明の第１の実施の形態に係る中継ノード装置１００のブロック構成図である。図２に示すように、中継ノード装置１００は、パス要求情報受信手段１１０、パス確立確認手段１２０、ラベル値確認手段１３０、ラベル値コピー手段１４０、パラメータ修正手段１５０、パス要求送信手段１６０、パス確立手段１７０を含むように構成される。
【００１５】
パス要求情報受信手段１１０は、パスを確立させるためのパス要求情報を発信者ノード装置２００から受信し、受信されたパス要求情報をパス確立確認手段１２０に出力する。例えば、パス要求情報受信手段１１０は、発信者ノード装置２００から中継ノード装置１００−１および中継ノード装置１００−２を経由して着信者ノード装置３００に至るパス３１を指定し、パス要求情報が含まれるＰＡＴＨメッセージ（ＲＳＶＰに準拠）を発信者ノード装置２００から受信する（図１参照）。
【００１６】
パス確立確認手段１２０は、パス要求情報に基づいて中継ノード装置１００にてパスが確立可能か否かを確認し、パス確立が可能な場合には、パス要求情報をラベル値確認手段１３０に出力する。
【００１７】
ラベル値確認手段１３０は、発信者ノード装置２００から受信したパス要求情報の中に隣接ノードとの間のラベル値指定情報が含まれるかを確認し、隣接ノード間でのラベル指定ある場合は、ラベル値をラベル値コピー手段１４０に出力する。ここで、隣接ノードとは、中継ノード装置１００−１に対する中継ノード装置１００−２である。
【００１８】
ラベル値コピー手段１４０は、隣接ノード間で使用するラベル値を指定したい場合、ラベルを指定する情報あるいはオブジェクトにラベル値をコピーし、パラメータ修正手段に出力する。ここで、ラベル値を指定するオブジェクトとは、ＲＳＶＰに準拠したLabel Set Object等であり、コピーを実施することによりパス要求情報から削除される。
【００１９】
パラメータ修正手段１５０は、ラベル値がコピーされたとき、ラベル値の使用方法を規定するパラメータを修正し、パス要求送信手段１６０に出力する。ここでいうパラメータとは、指定したラベル値にてパスを確立する、あるいは、指定したラベル値以外でパスを確立するというようにラベル値の使用方法を規定するパラメータである。
【００２０】
パス要求送信手段１６０は、隣接ノードに対してパス確立をするための要求を送信する手段である。例えば、中継ノード装置１００−１は、隣接ノードである中継ノード装置１００−２に対し、発信者ノード装置２００から受信したパス要求情報の隣接間にて使用するラベル値をLabel Set Objectにコピーし、パラメータを修正したパス要求メッセージを中継ノード装置１００−２に送信する。
【００２１】
図３は、本発明の第１の実施の形態に係る発信者ノード装置のブロック構成図である。図３に示すように、発信者ノード装置２００は、パス要求情報生成手段２１０、パス要求情報送信手段２２０、パス確立手段２３０を含んで構成される。
【００２２】
パス要求情報生成手段２１０は、着信者ノード装置３００（図２参照）との間のパス確立を行うにあたり、発信者ノード装置２００がパス確立を要求するパス要求情報を生成し、パス要求情報送信手段２２０に出力する。例えば、パス要求情報生成手段２１０は、着信者ノード装置３００を示す情報や、着信者ノード装置３００までの経路において、指定したい経路やラベル値がある場合は、パス要求情報として生成する。
【００２３】
パス要求情報送信手段２２０は、発信者ノード２００が中継ネットワーク１０（図１参照）に対してパス要求を行う。例えば、発信者ノード装置２００は、中継ネットワーク１０の中継ノード装置１００−１に対し、パス要求情報をのせたＰＡＴＨメッセージを送信する。
【００２４】
パス確立手段２３０は、発信者ノード装置２００が要求したパス要求条件にてパスを確立する。パス確立は、具体的には、次のようにして行われる。まず、発信者ノード装置２００は、着信者ノード装置３００に対してパス要求を行う、すなわち、隣接する中継ノード装置１００−１に対し、ＰＡＴＨメッセージを送信する。送信されたＰＡＴＨメッセージに従い、中継ノード装置１００−１は、発信者ノード装置２００と中継ノード装置１００−１との間のパス確立が可能なことを確認する。同様の動作によって、ＰＡＴＨメッセージがいくつかの中継ノード装置１００を経由して着信者ノード装置３００まで届くと、着信者ノード装置３００は、発信者ノード装置２００から着信者ノード装置３００までのパス確立が可能であることを確認する。すると、着信者ノード装置３００は、ＲＥＳＶメッセージを、中継ネットワーク１０を経由して発信者ノード装置２００へ宛てて送信する。発信者ノード装置２００は、そのＲＥＳＶメッセージを受け取ることによりパス確立が可能であることを認知し、パスを確立する。
【００２５】
図４は、本発明の第１の実施の形態に係る着信者ノード装置のブロック構成図である。図４に示すように、着信者ノード装置３００は、パス要求情報受信手段３１０、パス確立確認手段３２０、パス確立手段３３０を含んで構成される。
【００２６】
パス要求情報受信手段３１０は、パスを確立させるためのパス要求情報を発信者ノード装置２００か（図２参照）ら受信し、受信したパス要求情報をパス確立確認手段３２０に出力する。パス確立確認手段３２０は、そのパス要求情報に基づいて着信者ノード装置３００にてパスが確立可能か否かを確認し、パス確立が可能な場合には、パス確立が可能なことをパス確立手段３３０に通知する。パス確立手段３３０は、発信者ノード装置２００から着信者ノード装置３００までの全パスにおいてパス確立可能なことを示すメッセージ（ＲＥＳＶメッセージ）を、発信者ノード装置２００に宛てて上流に隣接するノード装置へ送信する。
なお、中継ノード装置１００のパス確立手段１７０（図２参照）は、送信されてくるパス確立可能なことを示すメッセージ（ＲＥＳＶメッセージ）を、発信者ノード装置２００に宛てて上流に隣接するノード装置へ送信する。
【００２７】
以下、本発明の第１の実施の形態に係る光ＩＰネットワークシステムにおけるパス確立の処理の流れについて、図１〜図５を参照して説明する。図５は、本発明の第１の実施の形態に係る光ＩＰネットワークシステムにおけるパス確立の処理の流れを示すフローチャートである。
【００２８】
まず、発信者ノード装置２００は、パス要求情報生成手段２１０によりパス要求情報を生成する（図示せず）。ある隣接ノード装置間にてラベル値の非指定を行う場合、ラベル値は任意の値でよいというラベル値（例えば、Label値＝Any）を、ラベル値非指定を実施する上流ノード装置のパス要求情報に挿入する。また、ラベル指定を行う場合、隣接ノード装置間を指定し、使用したいラベル値を挿入する。
【００２９】
図２及び図５において、パス要求情報送信手段２２０は、生成されたパス要求情報を送信し（Ｓ１０１）、中継ノード装置１００は、パス要求受信手段１１０によりそのパス要求情報を受信する（Ｓ１０３）。次に、パス確立確認手段１３０は、発信者ノード装置２００のパス要求条件でのパスを確立可能か否かを確認する（Ｓ１０４）。そして、パス確立が可能である場合には、ラベル値確認手段１３０は、ラベル値の有無、すなわち、パス要求情報のExplicit Label Control内にラベル値があるかを確認し、ラベル値があるときには（Ｓ１０５でＹｅｓ）、ラベル値コピー手段１４０によりそのラベル値をLabel Set Objectにコピーする（Ｓ１０６）。
ラベル値がコピーされると、パラメータ修正手段１５０は、パラメータを修正する（Ｓ１０７）。このとき、ラベル非指定を示すラベル値をコピーした場合は、Label Set Objectに含まれるLabel値以外でパスを確立することを示すパラメータに修正する。
【００３０】
次に、図２〜図５において、パス要求送信手段１６０は、前記のようにラベル値がコピーされ、パラメータが修正されたパス要求情報を、隣接ノードへ送信する（Ｓ１０８）。すると、着信者ノード装置３００におけるパス要求受信手段３１０は、そのパス要求情報を受信し（Ｓ１１０）、パス確立確認手段３２０は、発信者ノード装置２００から中継ノード装置１００を経由して送信されてきたパス要求情報に基づく条件でパス確立が可能か否かを確認する（Ｓ１１１）。そして、パス確立が可能であることが確認されると、パス確立手段３３０は、上流ノードに対しパス確立を提示する（Ｓ１１２）。その提示に基づき、中継ノード装置１００のパス確立手段１７０は、さらに上流のノードに対しパス確立を提示する（Ｓ１０９）。その提示を受けて、発信者ノード装置２００のパス確立手段２３０は、パス確立を確認し（Ｓ１０２）、発信者ノード装置２００から着信者ノード装置３００までのEnd-to-endのパスが確立する。
【００３１】
以上説明したように、本発明の第１の実施の形態においては、中継ノード装置１００にラベル値確認手段１３０、ラベル値コピー手段１４０及びパラメータ修正手段１５０を備えたので、パス要求情報にラベル値の明示的指定・非指定を自由に設定できるようになった。これにより、発信者ノード装置２００は、ネットワークトポロジ・リソース状況を考慮した柔軟なパス設定をすることができるようになり、ネットワークを効果的に使用することが可能となった。
【００３２】
＜第２の実施の形態＞
次に、本発明の第２の実施の形態について説明する。
図６は、本発明の第２の実施の形態に係る中継ノード装置１００のブロック構成図である。図６に示すように、第２の実施の形態に係る中継ノード装置１００のブロックの構成は、図２に示した第１の実施の形態に係る中継ノード装置１００のブロックの構成に、
識別子確認手段１８０が加えられた構成となっている。
【００３３】
第６図において、識別子確認手段１８０は、ラベル値確認手段１３０によりあるホップ間についてのパス要求情報にラベル値が含まれていないことが確認されると、そのホップ間のルート指定又はラベル指定をするオブジェクトに、そのホップ間にてラベル値を指定しないことを示す識別子が含まれるか否かを確認する。そして、オブジェクトに識別子が含まれている場合は、パラメータ修正手段１５０に出力をし、含まれていない場合は、パス要求送信手段１６０に出力する。
【００３４】
ここでいうホップ間のルート指定又はラベル指定をするオブジェクトとは、Explicit Route Object又はLabel Explicit Sub-objectである。Explicit Route Object又はLabel Explicit Sub-objectに次ホップが非ラベル指定であることを示す識別子が含まれている場合は、次ホップをラベル指定なしとして、パラメータ修正手段１５０にて、ラベル値無視を示すパラメータをLabel Set Objectに記載する。これにより、次ホップ以降ラベル値無視のままＰＡＴＨメッセージが送信される。
また、ＰＡＴＨメッセージが着信者ノード装置３００に送信される途中の中継ノード装置１００において、ラベル指定を示すラベル値が含まれることがラベル値確認手段１３０により確認された場合には、そのラベル値は、ラベル値コピー手段１４０によりLabel Set Objectにコピーされ、さらに、パラメータ修正手段１５０によって修正される。そして、パス要求送信手段１６０は、その修正されたラベル値をのせたパス要求情報を、ＰＡＴＨメッセージにより送信する。
【００３５】
以下、本発明の第２の実施の形態に係る光ＩＰネットワークシステムにおけるパス確立の処理の流れについて、図６及び図７を参照して説明する。図７は、本発明の第２の実施の形態に係る光ＩＰネットワークシステムにおけるパス確立の処理の流れを示すフローチャートである。なお、本発明の第２の実施の形態に係る処理の流れのうち、本発明の第１の実施の形態に係る処理の流れと同一の処理については、同一の符号を付し、それそれの説明を省略する。以下、本発明の第１の実施の形態に係る処理の流れに含まれないステップＳ１１３の処理について説明する。
【００３６】
中継ノード装置１００において、ラベル値確認手段１３０がExplicit Label Control内にラベルがないことを確認すると、識別子確認手段１８０は、Explicit Route Object又はLabel Explicit Sub-objectに隣接ノードとの間のラベルを指定しないことを示す識別子があるか否かを確認し（Ｓ１１３）、識別子が存在する場合は（Ｓ１１３でＹｅｓ）、パラメータ修正手段１５０は、Label Set Objectの中にあるラベル値を無視するようにパラメータの修正を行う（Ｓ１０７）。また、識別子がない場合は（Ｓ１１３でＮｏ）、パス要求送信手段１８０は、Label Set Objectをそのままの形でパス要求情報にのせ、ＰＡＴＨメッセージを送信する（Ｓ１０８）。
【００３７】
＜第３の実施の形態＞
次に、本発明の第３の実施の形態について説明する。
本発明の第３の実施の形態に係る中継ノード装置１００のブロック構成は、図６に示した第２の実施の形態に係る中継ノード装置１００のブロック構成と同様である。そこで、ここでは、そのブロック構成についての説明は省略する。
また、第３の実施の形態においては、ラベル値確認手段１３０により、あるホップ間についてのパス要求情報にラベル値が含まれていないことが確認されると、識別子確認手段１８０は、発信者ノード装置から着信者ノード装置までパス確立を行う際の要求条件としてラベル値を指定するオブジェクトに、そのホップ間にてラベル値を指定しないことを示す識別子が含まれるか否かを確認する。そして、オブジェクトに識別子が含まれている場合は、パラメータ修正手段１５０に出力をし、含まれていない場合は、パス要求送信手段１６０に出力する。
【００３８】
第３の実施の形態においては、ラベルを指定するオブジェクトとは、Label Set Objectである。Label Set Objectには、ホップ間で使用するラベル値なのか、End-to-endで使用するラベル値なのかを示す識別子がついている。識別子確認手段１８０は、まず、識別子があることを確認すると、それがホップ間にて使用するラベル値であることを認識し、次ホップ間にて使用するラベル値が含まれておらず、また、ラベル値に含まれるラベルがホップ間（前ホップ間）にて使用するラベル値であることを確認するため、パラメータ修正手段１５０により、Label Set Objectに含まれるラベル値は無視するというパラメータに修正を行う。
【００３９】
図８は、本発明の第３の実施の形態に係る光ＩＰネットワークシステムにおけるパス確立の処理の流れを示すフローチャートである。なお、第３の実施の形態に係る処理の流れのうち、第１の実施の形態に係る処理の流れと同一のものについては、同一の符号を付しそれぞれの説明を省略する。以下、第１の実施の形態に係る処理に含まれないステップＳ１１４の処理について説明する。
【００４０】
中継ノード装置１００において、ラベル値確認手段１３０がExplicit Label Control内にラベルがないことを確認すると、識別子確認手段１８０は、Label Set Objectにホップ間で使用するラベル値を指定していることを示す識別子であることを確認し（Ｓ１１４）、識別子が存在する場合は（Ｓ１１４でＹｅｓ）、パラメータ修正手段１５０により、Label Set Objectの中にあるラベル値を無視するようにパラメータの修正を行う（Ｓ１０７）。一方、識別子確認手段１８０が、End-to-end間にて使用するラベル値が存在していることを示す識別子がある場合、又は、ホップ間にて使用するラベル値を指定する識別子がないことを確認した場合は（Ｓ１１４でＮｏ）、パス要求送信手段１８０は、Label Set ObjectをOutgoing Interface（ＲＦＣ３４７３で定義されている）にて使用可能なラベル値のみにし、そのラベル値をパス要求情報にのせ、ＰＡＴＨメッセージにより送信する（Ｓ１０８）。
【００４１】
以上説明したように、本発明の第２及び第３の実施の形態によれば、発信者ノード装置２００が非指定区間を指定する際に、中継ネットワークのノードが発信者ノード装置２００により非指定区間とした自ネットワークにおいて、自ネットワークを理解した上でのラベル指定を行うことを意識したパス要求情報を生成する必要がなく、あくまでも発信者ノード装置２００がラベル指定あるいは、ラベル非指定をしたいという意思のみにより柔軟にパス確立を行うことが可能である。
【００４２】
＜第４の実施の形態＞
次に、本発明の第４の実施の形態について説明する。
図９は、本発明の第４の実施の形態に係る中継ノード装置１００のブロック構成図である。図９に示すように、第４の実施の形態に係る中継ノード装置１００のブロックの構成は、図６に示した第２の実施の形態に係る中継ノード装置１００のブロックの構成に、
ラベル指定オブジェクト確認手段１９０、ラベル指定オブジェクト生成手段１９１及びラベル指定オブジェクト削除手段１９２が加えられた構成となっている。
【００４３】
図９において、ラベル指定オブジェクト確認手段１９０は、ラベル値確認手段１３０によってパス要求情報にラベル値が含まれていると確認された場合には、パス要求情報にラベル指定オブジェクト（例えば、Label Set Object）がさらに含まれているか否かを確認する。その結果、ラベル指定オブジェクトが含まれないときは、ラベル指定オブジェクト生成手段１９１は、ラベル指定オブジェクトを生成する。
また、ラベル値確認手段１３０によってパス要求情報にラベル値が含まれていないと確認された場合には、ラベル指定オブジェクト確認手段１９０は、パス要求情報にラベルを指定するオブジェクトが含まれていることを確認する。その結果、ラベルを指定するオブジェクトがあることが確認されると、識別子確認手段１８０は、そのオブジェクトに識別子が含まれるか否か確認し、さらに、その識別子が発信者ノード装置から着信者ノード装置間で使用するものか、ホップ間で使用するものかを確認する。そして、識別子確認手段１９０によってその識別子がホップ間で使用する識別子であることが確認された場合は、ラベル指定オブジェクト削除手段１９２は、ラベル値を指定することを示すオブジェクトを削除する。
【００４４】
図１０は、本発明の第４の実施の形態に係る光ＩＰネットワークシステムにおけるパス確立の処理の流れである。なお、本発明の第４の実施の形態に係る処理のうち、本発明の第３の実施の形態に係る光ＩＰネットワークシステムにおけるパス確立の処理と同一のものについては、同一の符号を付しそれそれの説明を省略する。以下に、本発明の第３の実施の形態に係る処理と異なるステップＳ１０５からＳ１０８の処理について説明する。
【００４５】
中継ノード装置１００において、ラベル値確認手段１３０がExplicit Label Control内にラベルがないことを確認すると（Ｓ１０５でＮｏ）、ラベル指定オブジェクト確認手段１９０は、パス要求情報にラベル指定オブジェクト（例えば、Label Set Object）が存在するか否かを確認する（Ｓ１１５）。その結果、Label Set Objectが存在する場合は（Ｓ１１５でＹｅｓ）、識別子確認手段１８０は、そのLabel Set Objectにホップ間で使用するラベル値を指定する識別子があることを確認し、識別子が存在するときは（Ｓ１１４でＹｅｓ）、ラベル指定オブジェクト削除手段２１０によりLabel Set Objectを削除する（Ｓ１１６）。また、識別子確認手段１８０がEnd-to-end間で使用するラベル値を指定する識別子がある場合、又は、ホップ間で使用するラベル値を指定する識別子がないことを確認した場合には（Ｓ１１４でＮｏ）、パス要求送信手段１６０は、Label Set ObjectをOutgoing Interface（ＲＦＣ３４７３で定義されている）にて使用可能なラベル値のみにし、そのラベル値をパス要求情報にのせ、ＰＡＴＨメッセージにより送信する（Ｓ１０８）。また、Explicit Label Control内にラベルがないことが確認され（Ｓ１０５でＮｏ）、ラベル指定オブジェクト確認手段１９０によりLabel Set Objectが存在しないことが確認された場合は（Ｓ１１５でＮｏ）、パス要求送信手段１８０は、パス要求情報をＰＡＴＨメッセージにより送信する（Ｓ１０８）。
【００４６】
一方、中継ノード装置１００において、ラベル値確認手段１３０がExplicit Label Control内にラベルがあることを確認した場合には（Ｓ１０５でＹｅｓ）、ラベル指定オブジェクト確認手段１９０は、Label Set Objectが存在するか否かを確認する（Ｓ１１７）。その結果、ラベル指定オブジェクトが存在する場合は（Ｓ１１７でＹｅｓ）、そのままにして、また、ラベル指定オブジェクトが存在しない場合は（Ｓ１１７でＮｏ）、ラベル指定オブジェクト生成手段１９１によりLabel Set Objectを生成する（Ｓ１１８）。そして、ラベル値コピー手段１４０によりLabel Set Objectにラベル値をコピーし（Ｓ１０６）、パラメータ修正手段１５０によりラベル値を指定したパス設定を行うことを示すパラメータに修正をし（Ｓ１０７）、Label Set Objectにホップ間のラベル指定であることを示す識別子をつけ（Ｓ１１９）、パス送信手段１６０により隣接ノードへＰＡＴＨメッセージを送信する（Ｓ１０８）。
【００４７】
以上説明したように、本発明の第４の実施の形態においては、ラベル指定を必要とする場合にはラベル指定オブジェクトを付与し、必要でない場合にはラベル指定オブジェクトを削除するという明確なパス要求情報によりパス確立を行うことが可能である。また、発信者ノード装置２００が着信者ノード装置３００にパスを確立するネットワークが複数のネットワークにより構成され、そのうちのあるネットワークにおいて、中継ノード装置１００が自ネットワーク内にて明示的なラベル指定によるパス確立を要求している場合、１つのメッセージ送信により、中継ネットワーク１０内の明示的ラベル指定によるパス確立も可能となる。これにより、大規模ネットワークにおいても効率的なパス設定をすることが可能となる。
【００４８】
＜第５の実施の形態＞
次に、本発明の第５の実施の形態について説明する。
図１１は、本発明の第５の実施の形態に係る中継ノード装置１００のブロック構成図である。図１１に示すように、中継ノード装置１００は、パス要求情報受信手段１１０、パス確立確認手段１２０、ラベル値確認手段１３０、コピー先識別後ラベル値コピー手段１９３、パス要求送信手段１６０を含むように構成される。なお、本発明の第５の実施の形態に係る中継ノード装置１００を構成する手段のうち、本発明の第１の実施の形態に係る中継ノード装置１００を構成する手段と同一の手段には同一の符号を付し、それぞれの説明を省略する。
【００４９】
コピー先識別後ラベル値コピー手段１９３は、第１の実施の形態に係る中継ノード装置１００のブロック構成図（図２）におけるラベル値コピー手段１４０及びパラメータ修正手段１５０の役割を担う。コピー先識別後ラベル値コピー手段１９３は、ラベル値確認手段１３０によりパス要求情報にラベル値が含まれていることが確認されると、そのラベル値をＰＡＴＨメッセージにのせるLocal Label Objectに直接コピーする。
発信者ノード装置２００は、End-to-endのラベル指定を行いたい場合、Label Set Objectを使用する。中継ネットワーク１０のあるホップ間でのラベル値を指定したい場合には、Label Set Object以外のオブジェクト（例えば、Local Label Object）を付与するか、あるいは、ホップ間のラベル指定が確認された際にそのラベル値を生成する必要がある。この第５の実施の形態は、Local Label Objectを付与する場合に適用される。
【００５０】
図１２は、本発明の第５の実施の形態に係る光ＩＰネットワークシステムにおけるパス確立の処理の流れを示すフローチャートである。なお、本発明の第５の実施の形態に係る処理のうち、第１の実施の形態に係る光ＩＰネットワークシステムにおけるパス確立の処理と同一のものについては、同一の符号を付しそれぞれの説明を省略する。以下に、本発明の第３の実施の形態に係る処理と異なるステップの処理について説明する。
【００５１】
中継ノード装置１００において、パス要求受信手段１１０により発信者ノード装置２００からパス要求情報が受信されると（Ｓ１０３）、パス確立確認手段１２０は、パス確立が可能か否かを判断する。このとき、発信者ノード装置２００が送信したパス要求情報にLabel Set ObjectとLocal Label Objectが含まれる場合、Local Label Objectのラベル値によりパス確立が可能か否かを判断するものとする（Ｓ１０４）。パス確立が可能な場合は、ラベル値確認手段１３０がさらにExplicit Label Controlにラベル値が含まれているか否かを確認する（Ｓ１０５）。ここで、ラベル値が含まれている場合は（Ｓ１０５でＹｅｓ）、コピー先識別後ラベル値コピー手段２２０は、Local Label Objectにラベル値をコピーし（Ｓ１２０）、パス要求送信手段１６０は、隣接ノードにＰＡＴＨメッセージを送信する（Ｓ１２０）。また、Explicit Label Controlにラベル値が含まれない場合は（Ｓ１０５でＮｏ）、Local Label Objectはラベル指定をする必要がないため、ラベル値は自動的に無効となる（Ｓ１２１）。
【００５２】
以上説明したように、本発明の第５の実施の形態に係るラベル指定・非指定混在ネットワークは、End-to-endのラベル指定とホップ間のラベル指定を別のオブジェクトで指定することにより、基本的にはEnd-to-endで使用したいラベル値があるが、ある特定の区間あるいはホップのみ全く異なるラベル値にてパス確立を行おうとする場合に有効であり、発信者の要望に柔軟に対応することができるネットワークの構築が可能となる。
【図面の簡単な説明】
【００５３】
【図１】本発明の第１の実施の形態に係る光ＩＰネットワークシステムの構成図である。
【図２】本発明の第１の実施の形態に係る中継ノード装置のブロック構成図である。
【図３】本発明の第１の実施の形態に係る発信者ノード装置のブロック構成図である。
【図４】本発明の第１の実施の形態に係る着信者ノード装置のブロック構成図である。
【図５】本発明の第１の実施の形態に係る光ＩＰネットワークシステムにおけるパス確立の処理の流れを示すフローチャートである。
【図６】本発明の第２、第３の実施の形態に係る中継ノード装置のブロック構成図である。
【図７】本発明の第２の実施の形態に係る光ＩＰネットワークシステムにおけるパス確立の処理の流れを示すフローチャートである。
【図８】本発明の第３の実施の形態に係る光ＩＰネットワークシステムにおけるパス確立の処理の流れを示すフローチャートである。
【図９】本発明の第４の実施の形態に係る中継ノード装置ブロック構成図である。
【図１０】本発明の第４の実施の形態に係る光ＩＰネットワークシステムにおけるパス確立の処理の流れを示すフローチャートである。
【図１１】本発明の第５の実施の形態に係る中継ノード装置のブロック構成図である。
【図１２】本発明の第５の実施の形態に係る光ＩＰネットワークシステムにおけるパス確立の処理の流れを示すフローチャートである。
【符号の説明】
【００５４】
１００  中継ノード装置
２００  発信者ノード装置
３００  着信者ノード装置
１１０  パス要求情報受信手段
１２０  パス確立確認手段
１３０  ラベル値確認手段
１４０  ラベル値コピー手段
１５０  パラメータ修正手段
１６０  パス要求送信手段
１７０  パス確立手段
１８０  識別子確認手段
１９０  ラベル指定オブジェクト確認手段
１９１  ラベル指定オブジェクト生成手段
１９２  ラベル指定オブジェクト削除手段
１９３  コピー先識別後ラベル値コピー手段
２１０  パス要求情報生成手段
２２０  パス要求情報送信手段
２３０  パス確立手段
３１０  パス要求情報受信手段
３２０  パス確立確認手段
３３０  パス確立手段
１０００  光ＩＰネットワークシステム
【図１】
2005072920.tif 000003
【図２】
2005072920.tif 000004
【図３】
2005072920.tif 000005
【図４】
2005072920.tif 000006
【図５】
2005072920.tif 000007
【図６】
2005072920.tif 000008
【図７】
2005072920.tif 000009
【図８】
2005072920.tif 000010
【図９】
2005072920.tif 000011
【図１０】
2005072920.tif 000012
【図１１】
2005072920.tif 000013
【図１２】
2005072920.tif 000014